(57)【特許請求の範囲】
【請求項１】
操作者の口に咥えられる器具と、
前記器具に内蔵され、前記器具が咥えられた状態で前記操作者から発せられた音声を検出する音声検出器と、
前記音声検出器によって検出された音声を電気信号に変換する信号変換器と、
前記信号変換器によって変換された電気信号に基づいて前記音声を構成する各単語を認識し、その認識した各単語を電子辞書を用いて正しい単語に変換して出力する補償回路と、
前記補償回路から出力された正しい単語を送信する送信器とを備え、
前記電子辞書は、前記器具が咥えられた状態で前記操作者から発せられた単語を前記音声検出器によって検出した単語である原単語と、前記原単語に対応付けられ、かつ、前記原単語の正しい単語である正単語とからなる、通信装置。
【請求項２】
前記補償回路は、前記認識した各単語が誤っているとき、前記各単語が前記正しい単語に変換されるまで前記電子辞書を用いて前記正しい単語の候補である候補単語を提示し、前記各単語が正しいと判定されると、最終的に提示した候補単語を前記正しい単語として出力する、請求項１に記載の通信装置。
【請求項３】
前記原単語および前記正単語は、ま行、ぱ行およびば行の単語からなる、請求項１または請求項２に記載の通信装置。
【請求項４】
前記原単語および前記正単語は、水中における連絡に用いられる単語からなる、請求項３に記載の通信装置。
【請求項５】
前記ま行の単語を前記正しい単語に補正することを指示するための第１の指示信号を受け付ける第１のボタンと、
前記ぱ行の単語を前記正しい単語に補正することを指示するための第２の指示信号を受け付ける第２のボタンと、
前記ば行の単語を前記正しい単語に補正することを指示するための第３の指示信号を受け付ける第３のボタンとを更に備え、
前記補償回路は、前記第１の指示信号を受けると、前記ま行の単語を前記電子辞書を用いて前記正しい単語に変換し、前記第２の指示信号を受けると、前記ぱ行の単語を前記電子辞書を用いて前記正しい単語に変換し、前記第３の指示信号を受けると、前記ば行の単語を前記電子辞書を用いて前記正しい単語に変換する、請求項３または請求項４に記載の通信装置。
【請求項６】
前記信号変換器によって変換された電気信号から泡に起因する成分を除去する除去フィルタを更に備え、
前記補償回路は、前記除去フィルタによって前記泡に起因する成分が除去された電気信号に基づいて、前記音声を構成する各単語を認識し、その認識した各単語を電子辞書を用いて正しい単語に変換して出力する、請求項１から請求項５のいずれか１項に記載の通信装置。
【発明の詳細な説明】
【技術分野】
【０００１】
この発明は、通信装置に関するものである。
【背景技術】
【０００２】
従来、水中における通信に用いられる水中通信装置が知られている（特許文献１）。この水中通信装置は、通信装置本体と、マイク装置とを備える。通信装置本体は、潜水者の頭部に装備される器具に着脱可能に取り付けられ、送受信機能を有する。また、マイク装置は、潜水者がその口部に選択的に装備するマスクに取り付けられ、送信機能を有する。そして、マイク装置と通信装置本体との間は、ワイヤレス化されている。
【０００３】
水中通信装置においては、潜水者が喋ると、マイク装置は、潜水者の音声信号を検出し、その検出した音声信号を磁気信号または電波信号によって通信装置本体へ送信する。そして、通信装置本体は、マイク装置からの磁気信号または電波信号を受信し、その受信した磁気信号または電波信号を送信する。これによって、通信装置本体は、マイク装置が検出した音声信号を送信する。
【０００４】
また、従来、対象者が発した模倣音声信号と、模倣すべき音声信号とをスペクトル分析し、模倣音声信号の分析結果と、模倣すべき音声信号の分析結果とを比較し、その比較結果に応じて模倣音声信号を修正し、その修正された音声信号を対象者の聴覚器官に対して再生することが知られている（特許文献２）。
【０００５】
そして、特許文献２においては、模倣音声信号は、模倣音声信号の各周波数における強度値が模倣すべき音声信号の各周波数における強度値に対応するように修正される。
【先行技術文献】
【特許文献】
【０００６】
【特許文献１】特開平８−２２３１２４号公報
【特許文献２】特開２００８−１４６０９４号公報
【発明の概要】
【発明が解決しようとする課題】
【０００７】
しかし、特許文献１における水中通信装置においては、潜水者が喋った音声信号を修正することはできない。
【０００８】
また、特許文献２に開示された音声信号の修正方法は、模倣音声信号の各周波数における強度値が模倣すべき音声信号の各周波数における強度値に対応するように修正する方法であるため、潜水者がマウスピースを咥えながら喋った単語を正しい単語に修正することはできない。つまり、潜水者がマウスピースを咥えながら喋ると、潜水者から発せられる単語は、正しい単語と異なる単語として聞こえるので、特許文献２に開示された音声信号の修正方法では、潜水者がマウスピースを咥えながら喋った単語を正しい単語に修正することはできない。
【０００９】
そこで、この発明は、かかる問題を解決するためになされたものであり、その目的は、操作者が器具を咥えながら喋った単語を正しい単語に変換して送信する通信装置を提供することである。
【課題を解決するための手段】
【００１０】
この発明の実施の形態によれば、通信装置は、器具と、音声検出器と、信号変換器と、補償回路と、送信器とを備える。器具は、操作者の口に咥えられる。音声検出器は、器具に内蔵され、器具が咥えられた状態で操作者から発せられた音声を検出する。信号変換器は、音声検出器によって検出された音声を電気信号に変換する。補償回路は、信号変換器によって変換された電気信号に基づいて音声を構成する各単語を認識し、その認識した各単語を電子辞書を用いて正しい単語に変換して出力する。送信器は、補償回路から出力された正しい単語を送信する。電子辞書は、器具が咥えられた状態で操作者から発せられた単語を音声検出器によって検出した単語である原単語と、原単語に対応付けられ、かつ、原単語の正しい単語である正単語とからなる。
【発明の効果】
【００１１】
この発明の実施の形態による通信装置においては、電子辞書は、器具が咥えられた状態で操作者から発せられた単語を音声検出器によって検出した原単語と、原単語に対応付けられ、かつ、原単語の正しい単語である正単語とからなる。そして、補償回路は、器具が咥えられた状態で操作者から発せられた音声の電気信号に基づいて操作者が発した単語を認識し、その認識した単語を電子辞書を用いて正しい単語に変換して出力する。
【００１２】
従って、操作者が器具を咥えながら喋った単語を正しい単語に変換して送信できる。
【図面の簡単な説明】
【００１３】
【図１】この発明の実施の形態による通信装置の概略図である。
【図２】図１に示す補償回路の構成図である。
【図３】図２に示す電子辞書の具体例を示す図である。
【図４】図１に示す通信装置の潜水者への装着状態を示す図である。
【図５】図１に示す通信装置の動作を説明するためのフローチャートである。
【図６】この発明の実施の形態による他の通信装置の概略図である。
【図７】図６に示す補償回路の構成図である。
【図８】図６に示す通信装置の動作を説明するためのフローチャートである。
【発明を実施するための形態】
【００１４】
本発明の実施の形態について図面を参照しながら詳細に説明する。なお、図中同一または相当部分には同一符号を付してその説明は繰返さない。
【００１５】
図１は、この発明の実施の形態による通信装置の概略図である。図１を参照して、この発明の実施の形態による通信装置１００は、マウスピース１と、スピーカ２と、マイク３と、増幅・整形器４と、除去フィルタ５と、Ａ／Ｄ変換器６と、補償回路７と、モデム８と、送信アンテナ９と、操作ボタン１１とを備える。
【００１６】
増幅・整形器４、除去フィルタ５、Ａ／Ｄ変換器６、補償回路７、モデム８および送信アンテナ９は、通信機器１０を構成する。
【００１７】
マウスピース１は、潜水者の口に咥えられる。スピーカ２は、マウスピース１に内蔵されており、補償回路７から受けた電気信号を音声信号に変換して出力する。マイク３は、潜水者がマウスピース１を咥えた状態で喋った音声を検出し、その検出した音声を電気信号に変換して増幅・整形器４へ出力する。
【００１８】
増幅・整形器４は、マイク３から電気信号を受け、その受けた電気信号を増幅するとともに整形して除去フィルタ５へ出力する。
【００１９】
除去フィルム５は、増幅・整形器４から受けた電気信号のうち、泡に起因する成分および潜水者の呼吸に起因する成分を除去する。そして、除去フィルタ５は、泡に起因する成分および潜水者の呼吸に起因する成分を除去した電気信号をＡ／Ｄ変換器６へ出力する。なお、除去フィルタ５は、泡に起因する成分および潜水者の呼吸に起因する成分のいずれか一方の成分のみを除去してもよい。
【００２０】
Ａ／Ｄ変換器６は、除去フィルタ５から受けた電気信号をアナログ信号からデジタル信号に変換し、その変換したデジタル信号を補償回路７へ出力する。
【００２１】
補償回路７は、Ａ／Ｄ変換器６から受けたデジタル信号に基づいて、各単語を認識する。そして、補償回路７は、その認識した単語が正しい単語であるか否かを判定する。
【００２２】
補償回路７は、その認識した単語が正しい単語でないと判定したとき、正しい単語の候補である候補単語を後述する方法によって抽出し、その抽出した候補単語をスピーカ２へ出力する。そして、補償回路７は、スピーカ２へ出力した候補単語が正しい単語であることを示す信号ＣＯＲを操作ボタン１１から受けると、最後にスピーカ２へ出力した候補単語を示すデジタル信号をモデム８へ出力する。
【００２３】
モデム８は、補償回路７から受けたデジタル信号を送信信号に変換し、その変換した送信信号を送信アンテナ９を介して送信する。
【００２４】
操作ボタン１１は、スピーカ２へ出力した候補単語が正しい単語であると潜水者が認識したことを示す信号を受け付けると、信号ＣＯＲを生成して補償回路７へ出力する。
【００２５】
図２は、図１に示す補償回路７の構成図である。図２を参照して、補償回路７は、バッファメモリ７１と、単語変換部７２と、判定部７３とを含む。
【００２６】
バッファメモリ７１は、Ａ／Ｄ変換器６からデジタル信号を受け、その受けたデジタル信号を一時的に保持する。そして、バッファメモリ７１は、一定時間、デジタル信号を保持した後、その保持したデジタル信号を単語変換部７２へ出力する。
【００２７】
単語変換部７２は、電子辞書７２１を内蔵している。単語変換部７２は、バッファメモリ７１から受けたデジタル信号に基づいて単語を認識する。そして、単語変換部７２は、その認識した単語を判定部７３へ出力する。
【００２８】
また、単語変換部７２は、単語が誤っていることを示す信号ＩＣＯＲを判定部７３から受けると、その認識した単語を正しい単語へ変換するための候補単語を電子辞書７２１を用いて抽出する。そして、単語変換部７２は、その抽出した候補単語を判定部７３へ出力する。電子辞書７２１の詳細については、後述する。
【００２９】
判定部７３は、単語変換部７２から単語を受けると、その受けた単語をスピーカ２へ出力する。そして、判定部７３は、操作ボタン１１から信号ＣＯＲを受けたか否かを判定することによって単語変換部７２から受けた単語が正しいか否かを判定する。
【００３０】
判定部７３は、単語変換部７２から受けた単語が正しくないと判定したとき、信号ＩＣＯＲを生成して単語変換部７２へ出力する。
【００３１】
一方、判定部７３は、単語変換部７２から受けた単語が正しいと判定したとき、最後にスピーカ２へ出力した候補単語のデジタル信号をモデル８へ出力する。
【００３２】
図３は、図２に示す電子辞書７２１の具体例を示す図である。図３を参照して、電子辞書７２１は、原単語と、正単語とを含む。原単語は、マウスピース１が咥えられた状態で潜水者が喋った単語をマイク３が検出した単語であり、正単語は、原単語に対応付けられ、かつ、原単語の正しい単語である。
【００３３】
例えば、潜水者がマウスピース１を咥えた状態で喋ると、「とうめいど」は、「とうえいど」に聞こえる。また、潜水者がマウスピースを咥えた状態で喋ると、「マスク」は、「アスク」に聞こえ、「なみ（波）」は、「ない」に聞こえる。このように、潜水者がマウスピース１を咥えた状態で喋ると、「ま行」の単語は、誤って聞こえる。
【００３４】
また、潜水者がマウスピース１を咥えた状態で喋ると、「ぷん（分）」は、「うん」に聞こえ、「パラオ」は、「あらお」に聞こえ、「サイパン」は、「さいあん」に聞こえる。このように、潜水者がマウスピース１を咥えた状態で喋ると、「ぱ行」の単語は、誤って聞こえる。
【００３５】
更に、潜水者がマウスピース１を咥えた状態で喋ると、「ダイビング」は、「だいいんぐ」に聞こえ、「ダイバー」は、「だいあー」に聞こえ、「モルディブ」は、「おるでぃう」に聞こえる。このように、潜水者がマウスピース１を咥えた状態で喋ると、「ば行」の単語は、誤って聞こえる。
【００３６】
マウスピースは、口を半開きしにした状態の高さと、口の幅に近い幅を有し、かつ、やや扁平な筒状体からなる。そして、マウスピースの奥行き、および長さは、歯までであり、残りは、口から突出しており、上下の歯によって噛まれることによって固定される。
【００３７】
従って、口は、常時半開きの状態になるため、マウスピースを加えた潜水者は、例えば、唇を開いたり閉じたりすることによるぱ行、ば行、およびま行の音を発声することが困難である。
【００３８】
そこで、この発明の実施の形態においては、潜水者がマウスピース１を咥えた状態で喋ると、誤り易い「ま行」、「ぱ行」および「ば行」の単語について、原単語と正単語とを対応付けた電子辞書７２１を作製しておき、補償回路７は、「ま行」、「ぱ行」および「ば行」の単語が入力されると、電子辞書７２１を用いて「ま行」、「ぱ行」および「ば行」の単語を正しい単語に変換する。
【００３９】
従って、電子辞書７２１は、潜水者がマウスピース１を咥えた状態で喋ると、誤り易い「ま行」、「ぱ行」および「ば行」の単語について、原単語と正単語とを対応付けたものである。
【００４０】
また、電子辞書７２１の１番目から１８番目までの単語は、潜水用語であり、１９番目から２８番目までの単語は、地名であり、２９番目から６０番目までの単語は、海に生息する生物の名前である。従って、電子辞書７２１は、潜水作業において必要となる単語について、原単語と正単語とを対応付けたものである。つまり、電子辞書７２１は、水中における連絡に用いられる単語について、原単語と正単語とを対応付けたものである。
【００４１】
図４は、図１に示す通信装置１００の潜水者への装着状態を示す図である。図４を参照して、潜水者ＤＩＶは、エアボンベ２０を背負い、レギュレータ３０を口に咥えている。また、潜水者ＤＩＶは、マスク４０およびシュノーケル５０を装着しており、ダイビングコンピュータ５０を手首に装着している。
【００４２】
マウスピース１は、レギュレータ３０に内蔵されており、潜水者ＤＩＶの口に咥えられている。そして、スピーカ２およびマイク３は、マウスピース１内に内蔵されている。
【００４３】
レギュレータ３０は、エアホース２１によってエアボンベ２０に接続されており、レギュレータ３０内のマウスピース１に内蔵されたスピーカ２およびマイク３は、ケーブル２２によって通信機器１０に接続されている。
【００４４】
また、残圧メータ７０は、エアホース２３によってエアボンベ２０に接続されており、コンパス８０が残圧メータ７０の近傍に配置されている。
【００４５】
更に、操作ボタン１１は、ケーブル２４によって通信機器１０に接続されている。
【００４６】
このように、図１に示す通信装置１００は、潜水者ＤＩＶが潜水に用いる潜水具に装着されている。
【００４７】
図５は、図１に示す通信装置１００の動作を説明するためのフローチャートである。図５を参照して、通信装置１００の動作が開始されると、マイク３は、潜水者がマウスピース１を咥えた状態で喋った音声を検出し（ステップＳ１）、その検出した音声を電気信号に変換する（ステップＳ２）。
【００４８】
そして、マイク３は、電気信号を増幅・整形器４へ出力し、増幅・整形器４は、電気信号を増幅するとともに整形して除去フィルタ５へ出力する。
【００４９】
除去フィルタ５は、増幅・整形器４から受けた電気信号に基づいて、泡に起因する成分および潜水者の呼吸に起因する成分を除去し（ステップＳ３）、その泡に起因する成分および潜水者の呼吸に起因する成分を除去した電気信号をＡ／Ｄ変換器６へ出力する。
【００５０】
Ａ／Ｄ変換器６は、電気信号をアナログ信号からデジタル信号に変換し、その変換したデジタル信号を補償回路７へ出力する。
【００５１】
補償回路７のバッファメモリ７１は、Ａ／Ｄ変換器６から受けたデジタル信号を一時的に保持し、その保持したデジタル信号を単語変換部７２へ出力する。単語変換部７２は、バッファメモリ７１から受けたデジタル信号に基づいて、単語を認識し（ステップＳ４）、その認識した単語を判定部７３へ出力する。
【００５２】
判定部７３は、単語変換部７２から受けた単語のデジタル信号をスピーカ２へ出力し、スピーカ２は、判定部７３からのデジタル信号を音声に変換して出力する。潜水者は、スピーカ２から出力された音声を聞き、自分が意図した単語が聞こえれば、操作ボタン１１を押す。一方、潜水者は、スピーカ２から出力された音声を聞き、自分が意図した単語が聞こえなければ、操作ボタン１１を押さない。
【００５３】
操作ボタン１１は、潜水者によって押されると、信号ＣＯＲを生成して補償回路７の判定部７３へ出力し、潜水者によって押されないと、補償回路７の判定部７３へ信号を出力しない。
【００５４】
従って、判定部７３は、単語変換部７２から受けた単語のデジタル信号をスピーカ２へ出力した後、操作ボタン１１から信号ＣＯＲを受けたとき、単語変換部７２から受けた単語を正しいと判定する。
【００５５】
一方、判定部７３は、単語変換部７２から受けた単語のデジタル信号をスピーカ２へ出力した後、操作ボタン１１から信号ＣＯＲを受けないとき、単語変換部７２から受けた単語が誤っていると判定する。この場合、判定部７３は、単語変換部７２から受けた単語のデジタル信号をスピーカ２へ出力した後、例えば、１秒が経過しても操作ボタン１１から信号ＣＯＲを受けないとき、単語変換部７２から受けた単語が誤っていると判定する。
【００５６】
このように、判定部７３は、単語変換部７２から単語を受けると、操作ボタン１１から信号ＣＯＲを受けたか否かを判定することによって、単語変換部７２から受けた単語が正しいか否かを判定する（ステップＳ５）。
【００５７】
ステップＳ５において、単語変換部７２から受けた単語が正しくないと判定されたとき、判定部７３は、信号ＩＣＯＲを生成して単語変換部７２へ出力する。
【００５８】
単語変換部７２は、信号ＩＣＯＲに応じて、電子辞書７２１を用いて正しい単語の候補単語を抽出し（ステップＳ６）、その抽出した候補単語を判定部７３へ出力する。
【００５９】
判定部７３は、単語変換部７２から受けた候補単語をスピーカ２を介して潜水者に提示する（ステップＳ７）。
【００６０】
その後、一連の動作は、ステップＳ５へ戻り、ステップＳ５にいて、単語が正しいと判定されるまで、上述したステップＳ５〜ステップＳ７が繰り返し実行される。
【００６１】
そして、ステップＳ５において、単語が正しいと判定されると、判定部７３は、最終的にスピーカ２へ出力した候補単語をモデム８へ出力し、モデル８は、判定部７３から受けた単語を送信信号に変換し、その変換した送信信号を送信アンテナ９を介して送信する（ステップＳ８）。
【００６２】
これによって、通信装置１００における動作が終了する。
【００６３】
このように、通信装置１００においては、補償回路７は、潜水者がマウスピース１を咥えた状態で喋ったときに誤り易い単語を電子辞書７２１を用いて正しい単語に変換して送信する。そして、電子辞書７２１は、潜水者がマウスピース１を咥えた状態で喋ったときの誤り易い単語である原単語と、その原単語に対応する正しい単語である正単語とを対応付けて保持している。
【００６４】
従って、潜水者がマウスピース１を咥えながら喋った単語を正しい単語に変換して送信できる。
【００６５】
潜水者は、通信装置１００を図４に示すように潜水具に装着して潜水し、通信装置１００を用いてマウスピース１を咥えながら正しい単語を発する。その結果、潜水者は、海中で他の潜水者とスムーズにコミュニケーションできる。
【００６６】
図６は、この発明の実施の形態による他の通信装置の概略図である。この発明の実施の形態による通信装置は、図６に示す通信装置１００Ａであってもよい。
【００６７】
図６を参照して、通信装置１００Ａは、図１に示す通信装置１００の補償回路７を補償回路７Ａに代え、操作ボタン１１を操作ボタン１１Ａに代えたものであり、その他の部分は、通信装置１００と同じである。
【００６８】
補償回路７Ａは、訂正依頼信号ＣＲＭ＿Ｍ，ＣＲＭ＿Ｐ，ＣＲＭ＿Ｂのいずれかを操作ボタン１１Ａから受ける。そして、補償回路７Ａは、訂正依頼信号ＣＲＭ＿Ｍを受けると、電子辞書７２１を用いて「ま行」の単語を正しい単語の候補である候補単語に変換し、その変換した候補単語をスピーカ２を介して潜水者に提示する。また、補償回路７Ａは、訂正依頼信号ＣＲＭ＿Ｐを受けると、電子辞書７２１を用いて「ぱ行」の単語を正しい単語の候補である候補単語に変換し、その変換した候補単語をスピーカ２を介して潜水者に提示する。更に、補償回路７Ａは、訂正依頼信号ＣＲＭ＿Ｂを受けると、電子辞書７２１を用いて「ば行」の単語を正しい単語の候補である候補単語に変換し、その変換した候補単語をスピーカ２を介して潜水者に提示する。
【００６９】
補償回路７Ａは、その他、補償回路７と同じ機能を果たす。
【００７０】
操作ボタン１１Ａは、４個のボタンＡ，Ｍ，Ｐ，Ｂを有する。そして、操作ボタン１１Ａは、ボタンＡが潜水者によって押されると、信号ＣＯＲを生成して補償回路７Ａへ出力する。また、操作ボタン１１Ａは、ボタンＭが潜水者によって押されると、訂正依頼信号ＣＲＭ＿Ｍを生成して補償回路７Ａへ出力する。更に、操作ボタン１１Ａは、ボタンＰが潜水者によって押されると、訂正依頼信号ＣＲＭ＿Ｐを生成して補償回路７Ａへ出力する。更に、操作ボタン１１Ａは、ボタンＢが潜水者によって押されると、訂正依頼信号ＣＲＭ＿Ｂを生成して補償回路７Ａへ出力する。
【００７１】
図７は、図６に示す補償回路７Ａの構成図である。図７を参照して、補償回路７Ａは、図２に示す補償回路７の単語変換部７２を単語変換部７２Ａに代えたものであり、その他の部分は、補償回路７と同じである。
【００７２】
単語変換部７２Ａは、訂正依頼信号ＣＲＭ＿Ｍ，ＣＲＭ＿Ｐ，ＣＲＭ＿Ｂのいずれかを操作ボタン１１Ａから受ける。そして、単語変換部７２Ａは、訂正依頼信号ＣＲＭ＿Ｍを受けると、電子辞書７２１を用いて「ま行」の単語を正しい単語の候補である候補単語に変換し、その変換した候補単語を判定部７３へ出力する。また、単語変換部７２Ａは、訂正依頼信号ＣＲＭ＿Ｐを受けると、電子辞書７２１を用いて「ぱ行」の単語を正しい単語の候補である候補単語に変換し、その変換した候補単語を判定部７３へ出力する。更に、単語変換部７２Ａは、訂正依頼信号ＣＲＭ＿Ｂを受けると、電子辞書７２１を用いて「ば行」の単語を正しい単語の候補である候補単語に変換し、その変換した候補単語を判定部７３へ出力する。
【００７３】
通信装置１００Ａも図４に示すように潜水者の潜水具に装着される。そして、通信装置１００Ａを使用する潜水者は、自己が「ま行」の単語をマウスピース１を咥えながら喋るとき、操作ボタン１１ＡのボタンＭを押し、自己が「ぱ行」の単語をマウスピース１を咥えながら喋るとき、操作ボタン１１ＡのボタンＰを押し、自己が「ば行」の単語をマウスピース１を咥えながら喋るとき、操作ボタン１１ＡのボタンＢを押す。
【００７４】
図８は、図６に示す通信装置１００Ａの動作を説明するためのフローチャートである。図８に示すフローチャートは、図５に示すフローチャートのステップＳ６，Ｓ７をステップＳ１１〜ステップＳ１６に代えたものであり、その他は、図５に示すフローチャートと同じである。
【００７５】
図８を参照して、通信装置１００Ａにおける動作が開始されると、上述したステップＳ１〜ステップＳ５が順次実行される。
【００７６】
そして、ステップＳ５において、単語が正しくないと判定されると、判定部７３は、信号ＩＣＯＲを生成して単語変換部７２Ａへ出力する。単語変換部７２Ａは、信号ＩＣＯＲを受けるとともに、訂正依頼信号ＣＲＭ＿Ｍを操作ボタン１１Ａから受けたか否かを判定することによって、「ま行」の単語の訂正依頼が有ったか否かを判定する（ステップＳ１１）。
【００７７】
ステップＳ１１において、「ま行」の単語の訂正依頼が有ったと判定されたとき、単語変換部７２Ａは、電子辞書７２１を用いて「ま行」の単語を正しい単語の候補である候補単語に変換する（ステップＳ１２）。
【００７８】
一方、ステップＳ１１において、「ま行」の単語の訂正依頼が無かったと判定されたとき、単語変換部７２Ａは、訂正依頼信号ＣＲＭ＿Ｐを操作ボタン１１Ａから受けたか否かを判定することによって、「ぱ行」の単語の訂正依頼が有ったか否かを判定する（ステップＳ１３）。
【００７９】
ステップＳ１３において、「ぱ行」の単語の訂正依頼が有ったと判定されたとき、単語変換部７２Ａは、電子辞書７２１を用いて「ぱ行」の単語を正しい単語の候補である候補単語に変換する（ステップＳ１４）。
【００８０】
一方、ステップＳ１３において、「ぱ行」の単語の訂正依頼が無かったと判定されたとき、単語変換部７２Ａは、電子辞書７２１を用いて「ば行」の単語を正しい単語の候補である候補単語に変換する（ステップＳ１５）。
【００８１】
そして、ステップＳ１２，Ｓ１４，Ｓ１５のいずれかの後、単語変換部７２Ａは、ステップＳ１２，Ｓ１４，Ｓ１５のいずれかにおいて変換された候補単語を判定部７３へ出力し、判定部７３は、単語変換部７２Ａから受けた候補単語をスピーカ２を介して潜水者に提示する（ステップＳ１６）。
【００８２】
その後、一連の動作は、ステップＳ５へ戻り、ステップＳ５において、単語が正しいと判定されるまで、上述したステップＳ５，Ｓ１１〜Ｓ１６が繰り返し実行される。
【００８３】
そして、ステップＳ５において、単語が正しいと判定されると、上述したステップＳ８が実行され、通信装置１００Ａの動作が終了する。
【００８４】
このように、通信装置１００Ａにおいては、潜水者がマウスピース１を咥えながら「ま行」の単語を喋ろうとすると、補償回路７Ａは、操作ボタン１１Ａからの訂正依頼信号ＣＲＭ_Ｍに応じて「ま行」の単語を電子辞書７２１を用いて正しい単語へ変換し、潜水者がマウスピース１を咥えながら「ぱ行」の単語を喋ろうとすると、補償回路７Ａは、操作ボタン１１Ａからの訂正依頼信号ＣＲＭ_Ｐに応じて「ぱ行」の単語を電子辞書７２１を用いて正しい単語へ変換し、潜水者がマウスピース１を咥えながら「ば行」の単語を喋ろうとすると、補償回路７Ａは、操作ボタン１１Ａからの訂正依頼信号ＣＲＭ_Ｂに応じて「ば行」の単語を電子辞書７２１を用いて正しい単語へ変換する。
【００８５】
この場合、単語変換部７２Ａは、電子辞書７２１を用いて各単語を正しい単語の候補単語に変換するとき、「ま行」の単語、または「ぱ行」の単語、または「ば行」の単語のみを検索すればよい。従って、候補単語に迅速に変換できる。
【００８６】
上記においては、潜水者がマウスピース１を咥えた状態で喋ったときに誤り易い単語として「ま行」の単語、「ぱ行」の単語、および「ば行」の単語を示したが、この発明の実施の形態においては、これに限らず、潜水者がマウスピース１を咥えた状態で喋ったときに誤り易い単語は、「ま行」の単語、「ぱ行」の単語、および「ば行」の単語以外の単語であってもよい。
【００８７】
また、上記においては、潜水者がマウスピース１を咥えた状態で喋ったときに誤り易い単語として日本語を示したが、この発明の実施の形態においては、これに限らず、潜水者がマウスピース１を咥えた状態で喋ったときに誤り易い単語は、日本語以外の単語であってもよい。
【００８８】
更に、上記においては、スピーカ２およびマイク３は、マウスピース１に内蔵されると説明したが、この発明の実施の形態においては、これに限らず、スピーカ２およびマイク３は、潜水者がマウスピース１を咥えた状態で喋った音声を検出し、または潜水者が音声を聞き取れる位置であれば、どこに配置されていてもよい。
【００８９】
更に、上記においては、通信装置は、潜水具に装着され、潜水者が喋った単語を正しい単語に変換して送信すると説明したが、この発明の実施の形態においては、これに限らず、通信装置は、鉱山の採掘者が身に付ける器具に装着され、採掘者がマスクをしたまま喋った単語を正しい単語に変換して送信するようにしてもよい。
【００９０】
そして、この発明の実施の形態による通信装置は、一般的には、操作者が器具（マウスピース１およびマスク等）を咥えた状態で喋ったときに誤り易い原単語と、原単語に対応付けられ、かつ、原単語の正しい単語である正単語とからなる電子辞書と、入力された単語が誤っているとき、単語が正しいと判定されるまで、電子辞書を用いて正しい単語の候補単語を潜水者に提示する補償回路とを備えていればよい。
【００９１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００９２】
この発明は、通信装置に適用される。
【符号の説明】
【００９３】
１  マウスピース、２  スピーカ、３  マイク、４  増幅・整形器、５  除去フィルタ、６  Ａ／Ｄ変換器、７，７Ａ  補償回路、８  モデム、９  送信アンテナ、１０  通信機器、１１，１１Ａ  操作ボタン、２０  エアボンベ、２１，２３  エアホース、２２，２４  ケーブル、３０  レギュレータ、４０  マスク、５０  シュノーケル、６０  ダイビングコンピュータ、７０  残圧メータ、８０  コンパス、７１  バッファメモリ、７２，７２Ａ  単語変換部、７３  判定部、１００，１００Ａ  通信装置、７２１  電子辞書。
【図１】
0005597575.tif 000002
【図２】
0005597575.tif 000003
【図３】
0005597575.tif 000004
【図４】
0005597575.tif 000005
【図５】
0005597575.tif 000006
【図６】
0005597575.tif 000007
【図７】
0005597575.tif 000008
【図８】
0005597575.tif 000009